(57)【要約】【課題】小動物に簡単に装着でき、装着後は容易に外れることが無く、種々のデータを保持して個体識別が行える小動物個体識別用ＩＣタグ装置を提供することを目的とする。【解決手段】ＩＣタグ内蔵挿入部材と止め部材からなり、前記ＩＣタグ内蔵挿入部材は、外側湾曲面と内側平面に囲まれた本体と、該本体の内側平面の中心付近に設けた円柱部と、該円柱部の先端に設けた、先端を尖らせた円錐部と、該円柱部と円錐部との境界付近に設けた、該円柱の周囲に沿った溝部と、前記本体に内蔵したＩＣチップおよびそのアンテナ部とを備え、前記止め部材は、外側湾曲面と内側平面に囲まれた本体と、該外側湾曲面と内側平面とを貫通する穴と、該穴の内側面の前記内側平面側に設けた、該穴の内側面から突起させた突起部とを備える。【選択図】図１
2009273395.tif 000002
【特許請求の範囲】
【請求項１】
ＩＣタグ内蔵挿入部材と止め部材からなり、
前記ＩＣタグ内蔵挿入部材は、
外側湾曲面と内側平面に囲まれた本体と、
該本体の内側平面の中心付近に設けた円柱部と、
該円柱部の先端に設けた、先端を尖らせた円錐部と、
該円柱部と円錐部との境界付近に設けた、該円柱の周囲に沿った溝部と、
前記本体に内蔵したＩＣチップおよびそのアンテナ部と
を備え、
前記止め部材は、
外側湾曲面と内側平面に囲まれた本体と、
該外側湾曲面と内側平面とを貫通する穴と、
該穴の内側面の前記内側平面側に設けた、該穴の内側面から突起させた突起部と
を備えることを特徴とする小動物個体識別用ＩＣタグ装置。
【請求項２】
ＩＣタグ内蔵挿入部材と止め部材からなり、
前記ＩＣタグ内蔵挿入部材は、
外側湾曲面と内側平面に囲まれた本体と、
該本体の内側平面の中心付近に設けた柱部と、
該柱部の先端に設けた、先端を尖らせた錐部と、
該柱部と錐部との境界付近に設けた、該柱の周囲に沿った溝部と、
前記本体に内蔵したＩＣチップおよびそのアンテナ部と
を備え、
前記止め部材は、
外側湾曲面と内側平面に囲まれた本体と、
該外側湾曲面と内側平面とを貫通する穴と、
該穴の内側面の前記内側平面側に設けた、該穴の内側面から突起させた突起部と
を備えることを特徴とする小動物個体識別用ＩＣタグ装置。
【請求項３】
請求項１または２に記載の小動物個体識別用ＩＣタグ装置において、
前記止め部材の突起部は、前記止め部材の内側平面から外側湾曲面に向かって、内径が徐々に小さくなるようにテーパーを付けてあることを特徴とする小動物個体識別用ＩＣタグ装置。
【発明の詳細な説明】
【技術分野】
【０００１】
本発明は、ラットやマウスなどの小動物に簡単に装着でき、該小動物の個体識別を行うためのＩＣタグ装置に関する。
【背景技術】
【０００２】
従来より、ラットやマウスなどの小動物に装着して個体識別を行うタグが知られている。例えば、非特許文献１には、マウス・ラット用金属製個体識別耳タグが開示されている。これは、ピアス式でマウスやラットの耳介に装着し、該タグに刻印された番号で個体識別を行うものである。
【０００３】
さらに、特許文献１には、半導体チップ（ＩＣタグ）をマウスの耳などに取り付け、リーダ・ライタにより該半導体チップのデータを読み書きすることにより、マウスの個体識別を行うシステムが開示されている。特許文献２には、レーザーで情報を記入した標識を小動物の体内に埋め込み、医療用画像診断装置を用いて読み取ることにより、小動物の個体識別を行う方法が開示されている。
【０００４】
また、ＩＣタグを小さな円柱状のガラス管内に封止したものを、専用の注射器で小動物の体内に注入し、これにより小動物の個体識別を行う技術が知られている。
【特許文献１】特開２００４−３４４０９１号公報
【特許文献２】特開平８−１６８３２２号公報
【非特許文献１】http://www.muromachi.com/products/other/Lapierce.html
【発明の開示】
【発明が解決しようとする課題】
【０００５】
上記非特許文献１のものは、タグに刻印された番号のみで個体識別するので、その刻印が摩耗すると識別不可となってしまう。また、非特許文献１や特許文献１のものは、マウスの耳などに取り付けるピアス式のタグであるが、何れも、針材を耳に刺した後、反対側をペンチなどで折り曲げることにより装着するものである。従って、装着が面倒であり、外れてしまうことがあるという欠点がある。また、装着後もマウスが当該タグを引っ掻くことでけがをする場合がある。
【０００６】
特許文献２やＩＣタグをガラス管内に封止したものを専用の注射器で体内に注入する技術は、小動物の体内に挿入する工程が必須であるので、やはり装着が面倒であるという欠点がある。
【０００７】
本発明は、小動物に簡単に装着でき、装着後は容易に外れることが無く、種々のデータを保持して個体識別が行える小動物個体識別用ＩＣタグ装置を提供することを目的とする。
【課題を解決するための手段】
【０００８】
上記目的を達成するため、請求項１に係る小動物個体識別用ＩＣタグ装置は、ＩＣタグ内蔵挿入部材と止め部材からなり、前記ＩＣタグ内蔵挿入部材は、外側湾曲面と内側平面に囲まれた本体と、該本体の内側平面の中心付近に設けた円柱部と、該円柱部の先端に設けた、先端を尖らせた円錐部と、該円柱部と円錐部との境界付近に設けた、該円柱の周囲に沿った溝部と、前記本体に内蔵したＩＣチップおよびそのアンテナ部とを備え、前記止め部材は、外側湾曲面と内側平面に囲まれた本体と、該外側湾曲面と内側平面とを貫通する穴と、該穴の内側面の前記内側平面側に設けた、該穴の内側面から突起させた突起部とを備えることを特徴とする。
【０００９】
請求項２に係る小動物個体識別用ＩＣタグ装置は、ＩＣタグ内蔵挿入部材と止め部材からなり、前記ＩＣタグ内蔵挿入部材は、外側湾曲面と内側平面に囲まれた本体と、該本体の内側平面の中心付近に設けた柱部と、該柱部の先端に設けた、先端を尖らせた錐部と、該柱部と錐部との境界付近に設けた、該柱の周囲に沿った溝部と、前記本体に内蔵したＩＣチップおよびそのアンテナ部とを備え、前記止め部材は、外側湾曲面と内側平面に囲まれた本体と、該外側湾曲面と内側平面とを貫通する穴と、該穴の内側面の前記内側平面側に設けた、該穴の内側面から突起させた突起部とを備えることを特徴とする。
【００１０】
請求項３に係る発明は、請求項１または２に記載の小動物個体識別用ＩＣタグ装置において、前記止め部材の突起部は、前記止め部材の内側平面から外側湾曲面に向かって、内径が徐々に小さくなるようにテーパーを付けてあることを特徴とする。
【発明の効果】
【００１１】
本発明によれば、マウスやラットなどの小動物に簡単に装着でき、容易に外れることがない個体識別用ＩＣタグ装置が実現される。ＩＣタグを内蔵しているので、種々のデータを保持して個体識別が行える。装着後は部材の外側湾曲面が外側に出ているので、小動物が引っ掻くような動作をしてもけがをさせることがない。
【発明を実施するための最良の形態】
【００１２】
以下、図面を用いて本発明の実施の形態を説明する。
【００１３】
図１は、本発明に係る小動物個体識別用ＩＣタグ装置の外観を示す。ＩＣタグ装置１は、ＩＣタグ内蔵挿入部材１０（以下「オス側部材１０」と呼ぶ）と、止め部材２０（以下「メス側部材２０」と呼ぶ）とからなる。オス側部材１０は、椀状に丸みを帯びた外側湾曲面１１を備える。円形の内側平面１９の中心部からは、外側湾曲面１１の反対側に向かう向きに、円柱部１６を設け、該円柱部１６の先端には円錐部１８が設けてある。円柱部１６と円錐部１８との境界付近には、円柱部１６の周囲に沿って溝部１７が設けてある。また、内側平面１９の外周から所定長さだけ内側に入った辺りから円柱部１６の外周辺りにかけて、内側平面１９をくり抜いたような凹部１２が設けてあり、その凹部１にＩＣタグのアンテナ部１３を配置している。メス側部材２０は、椀状に丸みを帯びた外側湾曲面２１を有し、その中心部付近には穴２２が設けてある。穴２２は、オス側部材１０の円錐部１８が入る大きさに合わせてある。
【００１４】
図２は、オス側部材１０の平面図、底面図、側面図、および断面図を示す。図２（ａ）の平面図は、図１のオス側部材１０を円錐部１８の側から見た平面図である。凹部１２に配置されたアンテナ部１３が見えており、中心部には図１で説明した円柱部１６の先端の円錐部１８が見えている。図２（ｂ）の底面図では丸みを帯びた外側湾曲面１１が見えている。図２（ｃ）の側面図では、内側平面１９の中心部より、外側湾曲面１１と逆方向に円柱部１６と円錐部１８が設けられ、円柱部１６と円錐部１８の間に溝部１７が設けられている様子が示されている。図２（ｄ）の断面図は、図２（ａ）の平面図のＸＸ’断面を示す。凹部１２に設けられたアンテナ部１３の下側の一部分には、ＩＣタグのチップを格納する領域１４を設けてある。該領域１４にＩＣタグのチップ１５が格納される。
【００１５】
図３は、図１のメス側部材２０の平面図、側面図、および断面図を示す。メス側部材２０は丸みを帯びた外側湾曲面２１と内側平面２４を有し、その平面図での中心部には、外側湾曲面２１と内側平面２４を貫通する穴２２が設けてある。穴２２の内側面２４の内側平面２４側には、穴２２の内側面から突起させた突起部２３を設けてある。
【００１６】
図４（ａ）は、本実施形態のオス側部材１０をメス側部材２０に嵌め込む様子を示す。例えば、固体識別すべき小動物（マウスやラットなど）の耳介の比較的薄い皮膜部分を挟んで、オス側部材１０の円錐部１８がメス側部材２０の内側平面２４側の穴２２に相対するように位置付け、円錐部１８が穴２２に入るように押し込んで嵌め込む。これにより、円錐部１８が小動物の耳介の皮膜部分を貫通し、図４（ａ）の点線４１に示すように、メス側部材２０の突起部２３がオス側部材１０の溝部１７に嵌め込まれて固定される。４２は、小動物の耳介の皮膜部分が入る間隙である。
【００１７】
図４（ｂ）は、嵌め込んだ状態での断面図を示す。各部の大きさの概要は以下の通りである。Ｌ１はオス側部材１０およびメス側部材２０の平面図での直径、Ｌ２はメス側部材２０の穴２２の外側湾曲面２１側での内径、Ｌ３は該穴２２の内側平面２４側での内径、Ｌ４は部材１０と２０を嵌め込んだ状態での間隙の厚みを、それぞれ示す。この実施形態では、Ｌ１はほぼ６ｍｍ、Ｌ２はほぼ２ｍｍ、Ｌ３はほぼ１．５ｍｍ、Ｌ４はほぼ１ｍｍとしている。
【００１８】
なお、部材１０および２０の本体は、本実施形態ではジェラコン（商品名）を用いて成型した。ただし、部材１０を部材２０に嵌め込む際に人の力で嵌め込むことができる程度の可撓性を持つ材質であれば適用可能である。
【００１９】
図５は、上述した実施形態の変形例を示す。この変形例では、メス側部材５０に開けられた穴５２の内周に沿って設けた突起部５３を、内側平面５４側での内径を大きく取り、外側湾曲面５１に向かうほど徐々に内径が小さくなるように、いわばテーパーを付けて、突起部５３を構成している。これにより、オス側部材１０の先端部１８を嵌め込む際に滑らかに嵌め込むことができる。また、嵌め込む際に部材１０と部材２０とが擦れて材質である樹脂が削れる場合があるが、図５のように突起部５３にテーパーを付けることにより削れ防止の効果がある。
【００２０】
上記実施形態および変形例によれば、マウスやラットなどの小動物に簡単に装着できる個体識別用ＩＣタグ装置が実現できる。装着後は、メス側部材２０の突起部２３がオス側部材１０の溝部１７に嵌め込まれているので、容易に外れることも無い。また、ＩＣタグを内蔵しているので、種々のデータを保持して個体識別が行える。ＩＣタグはＩＳＯ準拠のものを利用しているので、リーダ・ライタ装置は種々のメーカのものを利用できる。また、装着後は部材１０，２０の外側湾曲面１１，２１が外側に出ているので、小動物が引っ掻くような動作をしてもけがをさせることがない。
【００２１】
なお、上記実施形態および変形例では、オス側部材１０とメス側部材２０は平面図で円形としたが、円形でなくても良い。ただし、角になる部分が露出していると、小動物が引っ掻くことによりけがをする場合があるので、平面図での形状は円形に限らずとも、全体としては湾曲面とするのが好ましい。また、上記実施形態および変形例では円柱部１６としたが、この部分は、装着したときには露出されない部分であるので、円柱に限らず、例えば角柱の形状でも良い。ただし、アンテナ部がその周囲に配置されるので、円柱が好ましい。上記実施形態および変形例では円錐部１８と該円錐部１８が入り込む円形の穴２２としたが、これに限らない。例えば、角錐１８とし、該角錐１８が入り込む形状の穴２２としても良い。
【図面の簡単な説明】
【００２２】
【図１】本発明に係る小動物個体識別用ＩＣタグ装置の外観図
【図２】オス側部材の平面図、底面図、側面図、および断面図
【図３】メス側部材の平面図、側面図、および断面図
【図４】オス側部材をメス側部材に嵌め込む様子を示す図
【図５】メス側部材の変形例を示す図
【符号の説明】
【００２３】
１…ＩＣタグ装置、１０…ＩＣタグ内蔵挿入部材（オス側部材）、１１…外側湾曲面、１２…凹部、１３…アンテナ部、１６…円柱部、１７…溝部、１８…円錐部、１９…内側平面、２０…止め部材（メス側部材）、２１…外側湾曲面、２２…穴。
【図１】
2009273395.tif 000003
【図２】
2009273395.tif 000004
【図３】
2009273395.tif 000005
【図４】
2009273395.tif 000006
【図５】
2009273395.tif 000007